(57)【要約】【課題】  直管型蛍光灯を把持するランプホルダの取付けを容易にするとともに、前記蛍光灯の位置決めを安定的にかつ確実に行うことができる、商品陳列棚における棚板照明装置を提供する。【解決手段】  棚板１２下部における左右方向を向く蛍光灯取付面１０ａに、左右１対のランプホルダ１８、１８を介して、蛍光灯Ｌを把持させた商品陳列棚１における棚板照明装置において、前記蛍光灯取付面１０ａに、係合爪２５を有する左右１対の取付片２０、２４を、その係合爪２５の開放端部２１ａを互いに左右方向の相反する方向に向かせて所望の間隔でもって離間させて設けるとともに、これら各取付片２０、２４の係合爪２５と蛍光灯取付面１０ａの両者によって、前記ランプホルダ１８の基部１９、２２を挟込み状態でそれぞれ係止させる。【選択図】    図３
2005074171.tif 000002
【特許請求の範囲】
【請求項１】
棚板下部における左右方向を向く蛍光灯取付面に、左右１対のランプホルダを介して、蛍光灯を把持させた商品陳列棚における棚板照明装置において、
前記蛍光灯取付面に、係合爪を有する左右１対の取付片を、その係合爪の開放端部を互いに左右方向の相反する方向に向かせて所望の間隔でもって離間させて設けるとともに、これら各取付片の係合爪と蛍光灯取付面の両者によって、前記ランプホルダの基部を挟込み状態でそれぞれ係止させたことを特徴とする商品陳列棚における棚板照明装置。
【請求項２】
前記蛍光灯取付面に、左右１対の開口部を所望の間隔でもって離間させて切欠き形成するとともに、前記開口部に、平面視ほぼＺ形状の取付片の基部を挿入して固着したことを特徴とする請求項１記載の商品陳列棚における棚板照明装置。
【請求項３】
前記蛍光灯取付面を鋼板で形成し、平面視ほぼＬ形状の左右１対の取付片を、所望の間隔でもって離間させて切り起し形成したことを特徴とする請求項１記載の商品陳列棚における棚板照明装置。
【請求項４】
前記取付片を、この取付片における係合爪の開放端部を、前記蛍光灯取付面に近接させて設けたことを特徴とする請求項１〜３のいずれかに記載の商品陳列棚における棚板照明装置。
【請求項５】
前記取付片における係合爪の開放端部の先端を、前記蛍光灯取付面から離散する方向に折曲させたことを特徴とする請求項１〜４のいずれかに記載の商品陳列棚における棚板照明装置。
【発明の詳細な説明】
【技術分野】
【０００１】
本発明は、店舗等における商品陳列棚の棚板照明装置に関する。
【背景技術】
【０００２】
商品陳列棚における棚板照明装置においては、照明器具としての直管型蛍光灯を取り付ける場合、棚板の前部下面、または棚板の前部を支持する支持フレームなどの取付部に、複数のランプホルダを左右方向に所定の間隔でもって離間させて設け、これらのランプホルダのホルダ部に直管型蛍光灯を取外し交換自在に把持させるようにしている。
【０００３】
特許文献１に示されるように、このようなランプホルダを棚板や支持フレームなどの取付部に組み付けるにあたっては、一般的にはビス止めによって行なわれているため、ドライバ等の専用工具が必要になり、作業性が面倒である。
【０００４】
前記した不具合を解消するために、特許文献２及び特許文献３に示されるように、支持フレームにランプホルダをワンタッチ操作で組み付けることができるようにした取付方法が公知である。
【０００５】
特許文献２においては、支持フレーム側に貫通孔またはスリットを設け、これらの貫通孔またはスリットにランプホルダの基部を嵌合することによって組み付けている。特許文献３においては、支持フレーム側に係合溝を左右方向に沿って設け、この係合溝にランプホルダの基部をスライド自在に差し込み係止させることによって組み付けている。
【０００６】
しかし、前記特許文献２に記載される方法では、ランプホルダの基部を貫通孔またはスリットに嵌合した後、ランプホルダを更に水平方向に回転させなければならないという手間を要する。特に、ランプホルダの基部をスリットに嵌合させた場合には、ランプホルダが外力によってスリットに長手方向にずれ易いため、ランプホルダ、延いては、直管型蛍光灯の位置決めが不安定になる場合がある。
【０００７】
また、前記特許文献３に記載される方法では、では、ランプホルダを水平方向に回転させて係合溝に係止しなければならないという手間を要するばかりでなく、ランプホルダが外力によってずれ易いため、蛍光灯の安定した位置決めができない場合がある。
【特許文献１】実開平３−１０７６９２号公報（図１）
【特許文献２】実開平４−１１０３８１号公報（図１、図３）
【特許文献３】実開平５−２９６６２号公報（図３、図４）
【発明の開示】
【発明が解決しようとする課題】
【０００８】
本発明は、直管型蛍光灯を把持するランプホルダの取付けを容易にするとともに、前記蛍光灯の位置決めを安定的にかつ確実に行うことができる、商品陳列棚における棚板照明装置を提供することを目的とする。
【課題を解決するための手段】
【０００９】
本発明によると、上記課題は、次の各項に記載の発明に基づいて解決される。
（１）棚板下部における左右方向を向く蛍光灯取付面に、左右１対のランプホルダを介して、蛍光灯を把持させた商品陳列棚における棚板照明装置において、前記蛍光灯取付面に、係合爪を有する左右１対の取付片を、その係合爪の開放端部を互いに左右方向の相反する方向に向かせて所望の間隔でもって離間させて設けるとともに、これら各取付片の係合爪と蛍光灯取付面の両者によって、前記ランプホルダの基部を挟込み状態でそれぞれ係止させる。
【００１０】
（２）上記(１)項において、前記蛍光灯取付面に、左右１対の開口部を所望の間隔でもって離間させて切欠き形成するとともに、前記開口部に、平面視ほぼＺ形状の取付片の基部を挿入する。
【００１１】
（３）上記(１)項において、前記蛍光灯取付面を鋼板で形成し、平面視ほぼＬ形状の左右１対の取付片を、所望の間隔でもって離間させて切り起し形成する。
【００１２】
（４）上記(１)〜(３)項のいずれかにおいて、前記取付片を、この取付片における係合爪の開放端部を、前記蛍光灯取付面に近接させて設ける。
【００１３】
（５）上記(１)〜(４)項のいずれかにおいて、前記取付片における係合爪の開放端部の先端を、前記蛍光灯取付面から離散する方向に折曲させる。
【発明の効果】
【００１４】
(１)上記(１)項に記載の発明によると、蛍光灯取付面に、ランプホルダを回転させることなく、ワンタッチ操作で容易に取り付けることができるとともに、従前のような専用工具を用いる必要がない。
また、左右の取付片における係合爪の開放端部を、互いに左右方向の相反する方向に向かせてあるため、蛍光灯の着脱時におけるランプホルダの左右方向へのずれや脱落を防止することができ、蛍光灯の位置決めを安定的にかつ確実に行うことができる。
【００１５】
(２)上記(２)項に記載の発明によると、蛍光灯取付面に、左右１対の開口部を予め、切欠き形成しておくことにより、取付片の位置決めが容易になるとともに、スポット溶接等により、前記取付片を容易に蛍光灯取付面に固着することができる。
【００１６】
(３)上記(３)項に記載の発明によると、蛍光灯取付面に、取付片を容易に一体形成することができる。
【００１７】
(４)上記(４)項に記載の発明によると、ランプホルダの基部を、取付片の係合爪に弾性的にかつ確実に挟持して位置決めすることができるとともに、ランプホルダの脱落を有効に防止することができる。
【００１８】
(５)上記(５)項に記載の発明によると、取付片に対するランプホルダの挟込み作業を円滑にかつ効率よく行なうことができる。                                      
【発明を実施するための最良の形態】
【００１９】
以下、本発明の実施形態を図面に基づいて詳細に説明する。
【実施例１】
【００２０】
図１は、本発明の棚板照明装置を備える商品陳列棚の分解斜視図、図２は、本発明の棚板照明装置の第１実施形態を示す要部拡大縦断面図、図３は、同じく、棚板照明装置の要部拡大平面図、図４は、ランプホルダの取付状態を示す要部拡大斜視図、図５は、同じくランプホルダの取付状態を示す分解斜視図である。
【００２１】
なお、図２において、紙面の右側を「前方」、左側を「後方」として説明する。
【００２２】
図１に示すように、商品陳列棚(１)は、鋼板にて形成されており、電子安定器(Ａ)が内蔵されたボックス型架台(２)と、この架台(２)上の背面に立設した左右１対の角筒状の支柱(３)(３)と、これら支柱(３)(３)間の上部に横架した角筒状の天フレーム(４)と、背面化粧板(５)とで組み立てられており、各支柱(３)の前面には、左右２列の多数のスリット(3a)が、上下方向に等間隔でもって穿設されている。
【００２３】
左右の支柱(３)(３)には、鋼板からなる棚板受け用のブラケット(６)(６)がそれぞれ取り付けられており、これらの各ブラケット(６)は、図２に示すように、その後端部(6a)の上下に形成した、複数の下向き鉤形のフック(７)(７)を、前記支柱(３)における前面のスリット(3a)に係止させることにより、前方に向けて突出するように支持されている。
【００２４】
左右のブラケット(６)(６)間には、鋼板からなる前後１対の支持フレーム(８)(９)が左右方向に向けて架設されており、後部支持フレーム(８)は、下向きコ字状の断面形状を有し、前部支持フレーム(９)は、前部(9a)が下向きコ字状で、後部(9b)が上向きコ字状の断面形状を有するとともに、図２、図３に示すように、前部支持フレーム(９)の前面を形成する前部垂下片(10)の左右方向を向く前面(10a)を、照明器具としての直管型蛍光灯(Ｌ)の取付面(10a)とするとともに、これら左右のブラケット(６)(６)と前後の支持フレーム(８)(９)とで、棚板支持部となる棚板受面(11)を形成している。
【００２５】
前記棚板受面(11)上には、鋼板からなる平面視矩形状の棚板(12)が載置されている。この棚板(12)は、前端(12a)が下向き半円弧状に曲成されて、側面視Ｚ形状の前部補強フレーム(13)で補強されており、その後端(12b)及び左右両側端(12c)(12c)を下向きに折曲させるとともに、前後方向の中間下面に、上向きハット型断面形状の中間補強フレーム(14)を左右方向に配設することにより、前記棚板受面(11)を外側から抱持して被冠するように支持されている。
【００２６】
前記棚板(12)の前部には、図２に示すように、スリット(15)が左右方向に向けて形成されている。このスリット(15)には、透明アクリル製角棒状のプリズム(16)が嵌合させて配置されており、このプリズム(16)の上半部(16a)は、前記棚板(12)上に突出されて臨ませてあるとともに、その下半部(16b)は、前部補強フレーム(13)の後端から下向き斜め４５度に延出させた支持片(13a)によって支持されている。
【００２７】
前記プリズム(16)は、直管型蛍光灯(Ｌ)から前方上方に向けて照射される光を、前記棚板(12)上の前部から後方に向けて屈折させることにより、前記棚板(12)上に陳列された商品（図示せず）の照明効果を高める機能を有する。
【００２８】
左右のブラケット(６)(６)における各前端部(6b)の内面には、前記ボックス型架台(２)内の電子安定器(Ａ)に接続された、左右１対のソケット(17)(17)が対向させて設けられており、左右のソケット(17)(17)間には、前記直管型蛍光灯(Ｌ)が取外し自在に装着されている。
【００２９】
前記直管型蛍光灯(Ｌ)は、前部支持フレーム(９)における前部垂下片(10)の前面(10a)に取り付けた、左右１対のランプホルダ(18)(18)によって把持されている。
【００３０】
左右のランプホルダ(18)は、図３及び図４に示すように、基部(19)と、この基部(19)から前方に向けて一体に延出するホルダ部である、半円弧状に曲成した弾性を有する上下１対の把持片(19a)(19a)とで形成されている。
【００３１】
前記ランプホルダ(18)の基部(19)は、前記支持フレーム(９)における前部垂下片(10)の前面(10a)に、左右方向に所定の間隔でもって離間させて設けた、平面視ほぼＺ形状からなる左右１対の取付片(20)(20)の各係合爪(21)と、蛍光灯取付面である、前部垂下片(10)の前面(10a)との両者によって挟込み状態で着脱可能に係止されており、上下の把持片(19a)(19a)により、前記直管型蛍光灯(Ｌ)を把持するようになっている。
【００３２】
左右１対の取付片(20)(20)は、鋼板性の弾性基板からなり、それぞれ前記係合爪(21)と基部(22)とを備え、各係合爪(21)の開放端部(21a)を、互いに左右方向に相反する外側の方向に向かせて配置されている。
【００３３】
前記取付片(20)は、係合爪(21)の開放端部(21a)を、前部垂下片(10)の前面(10a)に近接させて設けるとともに、その開放端部(21a)の先端(21b)を、前記前面(10a)から離散する方向に折曲させ、かつ基部(22)を、図５に示すように、前記前部垂下片(10)の前面(10a)に所定の間隔でもって離間させて切欠き形成した、左右１対の各開口部(23)に挿入して、スポット溶接等で固着することにより、前部垂下片(10)の前面(10a)に取り付けてある。
【実施例２】
【００３４】
図６は、本発明の棚板照明装置の第２の実施形態を示す要部拡大斜視図である。前記支持フレーム(９)における前部垂下片(10)の前面(10a)に、直接、平面視ほぼＬ形状からなる左右各１対の各取付片(24)を、打抜き加工により、所定の間隔でもって離間させて切り起し形成してある。取付片(24)における係合爪(25)の開放端部(25a)を、前記第１実施形態と同様に、前記支持フレーム(９)における前部垂下片(10)の前面(10a)に近接させて設けるとともに、開放端部(25a)の先端(25b)を、前記前面(10a)から離散する方向に折曲させてある。
【図面の簡単な説明】
【００３５】
【図１】本発明の棚板照明装置を備える商品陳列棚の分解斜視図である。
【図２】本発明の棚板照明装置の第１実施形態を示す要部拡大縦断面図である。（実施例１）
【図３】同じく、棚板照明装置の要部拡大平面図である。
【図４】ランプホルダの取付状態を示す要部拡大斜視図である。
【図５】同じく、ランプホルダの取付状態を示す分解斜視図である。
【図６】本発明の棚板照明装置の第２実施形態を示す要部拡大斜視図である。（実施例２）
【符号の説明】
【００３６】
(１)商品陳列棚
(２)ボックス型架台
(３)支柱
(3a)スリット
(４)天フレーム
(５)背面化粧板
(６)ブラケット
(6a)後端部
(6b)前端部
(７)フック
(８)後部支持フレーム
(９)前部支持フレーム
(9a)前部
(9b)後部
(10)垂下片
(10a)前面（蛍光灯取付面）
(11)棚板受面（棚板支持部）
(12)棚板
(12a)前端
(12b)後端
(12c)側端
(13)前部補強フレーム
(13a)支持片
(14)中間補強フレーム
(15)スリット
(16)プリズム
(16a)上半部
(16b)下半部
(17)ソケット
(18)ランプホルダ
(19)基部
(19a)把持片
(20)取付片
(21)係止爪
(21a)開放端部
(21b)先端
(22)基部
(23)開口部
(24)取付片
(25)係合爪
(25a)開放端部
(25b)先端
(Ａ)電子安定器
(Ｌ)蛍光灯(直管型蛍光灯)
【図１】
2005074171.tif 000003
【図２】
2005074171.tif 000004
【図３】
2005074171.tif 000005
【図４】
2005074171.tif 000006
【図５】
2005074171.tif 000007
【図６】
2005074171.tif 000008